(57)【要約】      （修正有）【課題】骨スクリュの支持力を高めて動きを防止するだけでなく、組立が容易であり、キャップの離脱を防止する骨固定装置を提供する。【解決手段】ヘッド５４を有する骨スクリュ５０と、ヘッドの上側を支持するキャップ５６と、骨スクリュのヘッドが係止するボア７０を有し支持バーが収容されるＵ型のチャンネルを有するレシーバ部材５８と、支持バーを固定するバー固定ナット６０と、を備えており、前記ボアは、前記ヘッドの上部外面に線接触されてヘッドの支持力を高めるように下部内面に形成された多重段差部７４と、前記キャップが収容されるように前記多重段差部の上側に形成されたキャップ収容部と、前記キャップ収容部の内径より小さな内径に形成されて前記バー固定ナットがねじ結合されるねじ部と、からなる。【選択図】図３
2005245520.tif 000002
【特許請求の範囲】
【請求項１】
ヘッドを有する骨スクリュと、前記骨スクリュのヘッドの上側を支持するキャップと、前記キャップが収容されると同時に前記骨スクリュのヘッドが係止するボアを有し支持バーが収容されるＵ型のチャンネルを有するレシーバ部材と、前記レシーバ部材にねじ結合して前記支持バーを固定するバー固定ナットと、を備えており、
前記ボアは、前記ヘッドの上部外面に線接触されてヘッドの支持力を高めるように下部内面に形成された多重段差部と、前記キャップが収容されるように前記多重段差部の上側に形成されたキャップ収容部と、前記キャップ収容部の内径より小さな内径に形成されて前記バー固定ナットがねじ結合されるねじ部と、からなり、
前記キャップの上端には前記ねじ部の内径より大きい外経からなるフランジが形成され、前記キャップはそのフランジが前記ねじ部の下端部と共に塑性変形を起こして前記キャップ収容部に挿入されたことを特徴とする骨固定装置。
【請求項２】
前記骨スクリュのヘッド外面には前記キャップとの摩擦力を高めるように複数の溝帯が所定の間隔に形成されるが、
前記溝帯は骨スクリュの固定角度と無関係に前記キャップの下端接触線が横切るように前記骨スクリュの軸線に対して非対称的に形成されていることを特徴とする請求項１に記載の骨固定装置。
【請求項３】
前記溝帯の深さは０．０１〜０．０３ｍｍであることを特徴とする請求項２に記載の骨固定装置。
【請求項４】
前記レシーバ部材は、前記支持バーが通過する中央部の直径が上、下側の直径より大きい壺状になっていることを特徴とする請求項１に記載の骨固定装置。
【請求項５】
前記第１項のキャップを組立てる時には、
前記キャップを傾けて、そのフランジの一側を前記キャップ収容部に先に収容させ、そのフランジの他側をねじ部に係止するようにした後、
加圧工具によって前記キャップを加圧して前記ねじ部に係止されたフランジ部分を前記ねじ部の下端部と共に塑性変形が起きるようにしながら前記キャップ収容部に挿入することを特徴とする骨固定装置の組立方法。
【請求項６】
前記第１項の骨固定装置で施術する時に使用される工具であって、
前記骨スクリュのレンチ挿入口に差し込まれる先端突出部と前記レシーバ部材のねじ部にねじ結合されるねじ部とを備えて前記骨固定装置の骨スクリュとレシーバ部材とを整列させる整列ロッドと、
前記整列ロッドを回転させるように前記整列ロッドに結合された柄と、
からなることを特徴とする骨固定装置の施術工具。
【請求項７】
前記骨スクリュの締付力と弛緩力とを高めて前記レシーバ部材の後退を容易にするように、前記整列ロッドの外側には前記レシーバ部材のチャンネルに挿入されて係止されるフランジを有し整列ロッドの長手方向にスライド可能な外側パイプが結合されたことを特徴とする請求項６に記載の骨固定装置の施術工具。
【発明の詳細な説明】
【技術分野】
【０００１】
本発明は、脊椎などの骨を正常な状態に校正した後、動くことなく固定するための骨固定装置に関する。
【背景技術】
【０００２】
従来脊椎などの骨を固定する骨固定装置として韓国特許公開第２０００−４８５６２号（特許文献１）、米国特許第６２８０４４２号（特許文献２）がある。
【０００３】
上記の特許文献１は、図１に示すように球形であるヘッド１２を有する骨スクリュ１０と、骨スクリュのヘッド１２を支持する収縮コレット１４と、収縮コレット１４を収容するテーパ状のリセス１６を限定する中央ボアを有し、リセス１６と連通して支持バー（Ｒ）をその内部に収容するＵ型のチャンネルを有するレシーバ部材１８と、レシーバ部材１８にねじ結合して支持バー（Ｒ）を固定するセットスクリュ２０と、を含む。
【０００４】
骨スクリュのヘッド１２には工具を収容する工具収容リセス２２が形成され、工具収容リセス２２は平らに切断した上部表面２４に限定され、レシーバ部材１８のチャンネル部分にはセットスクリュ２０がねじ結合するように内部ねじ２６が形成され、収縮コレット１４の背面にはヘッド１２が密着するリセス２８が形成される。収縮コレット１４の下部部分及びリセス２８には複数のスロットが形成されて骨スクリュのヘッド１２に一定の圧縮力を提供するようになる。
【０００５】
セットスクリュ２０を締めれば、支持バー（Ｒ）が収縮コレット１４を圧縮し、収縮コレット１４はレシーバ部材のテーパ状のリセス１６に圧着しながら骨スクリュ１０を垂直または所定の角度に傾いた状態で固定するようになる。
【０００６】
特許文献２は、図２に示すように骨スクリュ３０のヘッド３２に複数の突出帯３４を形成し、レシーバ部材３６のボアの下側内面に支持リング３８を嵌合してヘッド３２の下側が係止されるようにし、ヘッド３２の上側にはキャップ４０を被せて、キャップ４０の上側にはレシーバ部材３６のチャンネルに支持バー（Ｒ）を挿入してバー固定ナット４２で固定する構造である。
【０００７】
そして、レシーバ部材３６でキャップ４０が挿入される部分の内径は、バー固定ナット４２がねじ結合される部分の内径より大きく形成され、バー固定ナット４２を弛めて支持バーＲを分離した場合、キャップ４０が上側に離脱しないようになっているが、その組立時にはレシーバ部材３６の下側を通じてキャップ４０を挿入した後、骨スクリュ３０のヘッド３２をレシーバ部材３６の下側に挿入した後、支持リング３８を骨スクリュ３０の下端から外挿してレシーバ部材３６のボアの下側内面に嵌合されるようになる。
【０００８】
一方、レシーバ部材の内部にはその下側まで雌ねじが形成されてキャップ４０をねじ結合することによって離脱しないようにする構造も開示されている。
【特許文献１】韓国特許公開第２０００−４８５６２号
【特許文献２】米国特許第６２８０４４２号明細書
【発明の開示】
【発明が解決しようとする課題】
【０００９】
ところが、特許文献１のような従来の骨固定装置は、支持力が弱くてテーパ状のリセス１６に安着するヘッド１２が外部撹乱によって動くため最初の支持状態で維持することができなくなる。
【００１０】
特許文献２は特許文献１の問題点を改善したものではあるが、支持リング３８を嵌合して組立てることが容易でないだけでなく、骨スクリュの支持力も満足するに値しないという問題点があった。
【００１１】
さらに、骨スクリュのヘッドの上部をキャップでねじ結合して固定する構造はキャップを下側までねじ結合しなければならないだけでなく、バー固定ナットの固定力がヘッドに伝達することができないため、組立が容易でないだけでなく骨スクリュの支持力も低いという問題点があった。
【００１２】
従って、本発明は上記の問題点を解決するためになされたものであり、本発明の目的は骨スクリュの支持力を高めて動きを防止するだけでなく、組立が容易でありながらキャップの離脱を防止する骨固定装置を提供することにある。
【課題を解決するための手段】
【００１３】
上記のような目的を達成するための本発明による骨固定装置は、ヘッドを有する骨スクリュと、前記骨スクリュのヘッドの上側を支持するキャップと、前記キャップが収容されると同時に前記骨スクリュのヘッドが係止するボアを有し支持バーが収容されるＵ型のチャンネルを有するレシーバ部材と、前記レシーバ部材にねじ結合して前記支持バーを固定するバー固定ナットと、を備えており、前記ボアは、前記ヘッドの上部外面に線接触されてヘッドの支持力を高めるように下部内面に形成された多重段差部と、前記キャップが収容されるように前記多重段差部の上側に形成されたキャップ収容部と、前記キャップ収容部の内径より小さな内径に形成されて前記バー固定ナットがねじ結合されるねじ部と、からなり、前記キャップの上端には前記ねじ部の内径より大きい外経からなるフランジが形成され、前記キャップはそのフランジが前記ねじ部の下端部と共に塑性変形を起こして前記キャップ収容部に挿入されたことを特徴とする。
【００１４】
骨スクリュのヘッド外面にはキャップとの摩擦力を高めるように複数の溝帯が所定の間隔に形成されるが、溝帯は骨スクリュの固定角度と無関係にキャップの下端接触線が横切るように骨スクリュの軸線に対して非対称的に形成されている。溝帯の深さは０．０１〜０．０３ｍｍであることが好ましい。
【００１５】
レシーバ部材は、支持バーが通過する中央部の直径が上下側の直径より大きい壺状になっている。
【００１６】
キャップは組立時、傾いてそのフランジの一側をキャップ収容部に先に収容させてそのフランジの他側をネジ部に係止するようにした後、加圧工具によってキャップを加圧してねじ部に係止されたフランジ部分をねじ部の下端部と共に塑性変形が起きるようにしながらキャップ収容部に挿入する。
【００１７】
骨固定装置で施術する時に使用される工具は、骨スクリュのレンチ挿入口に差し込まれる先端突出部とレシーバ部材のねじ部にねじ結合されるねじ部とを備えて骨固定装置の骨スクリュとレシーバ部材とを整列する整列ロッドと、整列ロッドを回転させるように整列ロッドに結合された柄と、からなる。
【００１８】
骨スクリュの締付力と弛緩力とを高めてレシーバ部材の後退を容易にするように、整列ロッドの外側にはレシーバ部材のチャンネルに挿入されて係止されるフランジを有し整列ロッドの長手方向にスライド可能な外側パイプが結合している。外側パイプの端部にはこの外側パイプを容易に移動させるように柄部が形成されていることが好ましい。
【発明の効果】
【００１９】
本発明による骨固定装置によれば、骨スクリュの支持力が高くて動きを防止するだけでなく組立が容易で、力の伝達力が大きく、弛みを防止し、キャップの離脱を防止する効果がある。
【発明を実施するための最良の形態】
【００２０】
以下、本発明の実施例について添付図を参照しながら詳しく説明する。
【実施例】
【００２１】
図３及び図４に示されるように、本発明の実施例による骨固定装置は、螺旋部５２とヘッド５４とを有する骨スクリュ５０を備え、骨スクリュのヘッド５４の上側をキャップ５６が支持し、ヘッド５４とキャップ５６と支持バー（Ｒ）とを収容して固定するレシーバ部材５８を備えた構造である。レシーバ部材５８の上側には支持バーＲを固定するが固定ナット６０がねじ結合される。
【００２２】
骨スクリュ５０の螺旋部５２は、骨に打ち込む部分であり、その下端は骨に容易に打ち差し込まれるように尖っていて、その谷の径は下側に行くほど小さくなる反面、螺旋部の山の径は同一である。骨スクリュの螺旋部が同一の外経で同一の山の高さのねじ山が形成されていれば、外力などによって固定力が弱化されて骨スクリュががたつく問題があり、このような問題を解決するために螺旋部の端部に行くほど外径を小さくする構造、このような構造は剛性が低下して骨スクリュが破損される問題点があり、本実施例のようにその谷の径が下側に行くほど小さくなる反面、螺旋部の山の径が同一である構造は螺旋部が堅く骨に固定されながら剛性の低下を防止することができる。
【００２３】
骨スクリュ５０のヘッド５４は上部が平らに切断された球状で、平らな切断面にはレンチ等の工具を挿入して容易に回せるように六角溝６２が所定の深さに形成される。六角溝は多様な角溝からなることができる。
【００２４】
そして、図７に示すように、骨スクリュ５０のヘッド５４外面にはキャップとの摩擦力を高めるように複数の溝帯５４ａが所定の間隔に形成されるが、溝帯５４ａは骨スクリュの固定角度と無関係にキャップ５６の下端接触線が横切るように骨スクリュの軸線に対して非対称的（螺旋、スパイラル等）に形成されている。溝帯５４ａの深さ（ｄ）は０．０１〜０．０３ｍｍであり、その半径（ｒ）は約０．２ｍｍで加工される。溝帯５４ａは連続的に形成されることが好ましい。このような溝帯５４ａは骨固定装置の組立、施術、除去時にキャップとの線接触で発生する可能性があるデブリー（ｄｅｂｒｉｓ）、バー（ｂｕｒｒ）、メタルチップ（ｍｅｔａｌ ｃｈｉｐ）などが発生しないようにする。
【００２５】
キャップ５６は図６に示すように、その上端には後述するレシーバ部材のねじ部の内径より大きい外経からなるフランジ６４が形成された円筒状であり、その中央には六角溝６２に連通する孔６６が形成され、その背面にはリセス部６８が所定の深さで形成されている。リセス部６８はヘッド５４の曲律半径より小さな曲律半径からなる曲面であり、この曲面の下端角（Ｐ３）がヘッド５４の上部外面に線接触する。リセス部は傾斜面からなることもできる。
【００２６】
レシーバ部材５８は図５に示すように、キャップ５６が収容されると同時に骨スクリュのヘッド５４が係止されるように長手方向に形成されたボア７０と、支持バー（Ｒ）が貫通して安着して形成されたＵ型のチャンネル７２とを備え、支持バー（Ｒ）が通過する中央部の直径が上、下側の直径より大きい壺状になっている。
【００２７】
レシーバ部材５８で支持バー（Ｒ）が通過する部分が慣性モーメントが一番大きいが、このようにレシーバ部材５８の中央部の直径が上、下側の直径より大きい壺形状はレシーバ部材５８の強度を高めて捩れを防止する。そして、施術時に脊椎の解剖学的構造によって支持バーをベンディング（ｂｅｎｄｉｎｇ）する場合が大部分であるが、この支持バーをベンディングする時に、一つの支持バーに結合された２つ以上の固定装置の間に干渉（または衝突）が発生する場合がある。この時、主に一番膨らんだ（ｂｕｌｋｙ）レシーバ部材の間に干渉が起きるが、レシーバ部材が壺状の場合はこの干渉が最小化される。さらに、干渉が脊椎と固定装置との間にも発生するようになるが、レシーバ部材の下端が壺状の場合には、骨と固定装置との間の干渉も最小になる。
【００２８】
ボア７０の下部内面にはヘッド５４の支持力を高めるように２段からなる多重段差部７４が形成され、多重段差部の各突出角（Ｐ１）（Ｐ２）がヘッド５４の下部外面に線接触する。多重段差部は３段、４段等に形成されることもできる。多重段差部７４で上側にある突出角（Ｐ２）は下側にある突出角（Ｐ１）よりその内径が大きくなり、球形のヘッド５４の下部外面が線接触するようになる。
【００２９】
ボア７０は多重段差部７４と、キャップ５６が収容されるように多重段差部７４の上側に形成されたキャップ収容部７６と、バー固定ナット６０がねじ結合されるねじ部７８と、からなる。
【００３０】
キャップ収容部７６の内径はねじ部７８の内径より大きく形成される。従って、キャップ５６は後述する組立方法によってそのフランジ６４がねじ部７８の下端部と共に塑性変形を起こしてキャップ収容部７６に挿入された後、離脱されることはない。
【００３１】
ねじ部７８は、バー固定ナット６０は上側で係止されてそれ以上移動しないようにその上部のねじ山の深さ（Ｈ１）はその下部のねじ山の深さ（Ｈ２）より深く形成される。上部と下部のねじ山のピッチは同一である。従って、バー固定ナット６０は支持バー（Ｒ）が締められる深さまでだけ入って行くため、支持バー（Ｒ）が差し込まれない状態でその位置を維持するようになり、組立を迅速にすることができる。
【００３２】
ねじ部７８はその上部と下部とが同一の深さに形成されて同一の形状からなることもできる。
【００３３】
ねじ部７８のねじ山は、レシーバ部材５８の変形を防止する一方で、力の伝達と締結力及び弛み防止の面から最適状態になるように台形のねじからなっている。即ち、三角ねじである場合バー固定ナット６０を締結するようになれば締結力は優秀であるが、長手方向に力の伝達力が小さく、締結後のレシーバ部材が半径方向に広がるため外側に別途のキャップを結合しなければならない短所がある。そして、四角ねじは長手方向に力の伝達力に優れているが締結後に弛む可能性があるという短所がある。しかし、台形ねじは締結力及び力の伝達力が同時に適正な値で維持されるようになり、レシーバ部材の外側にキャップを結合しなくともよい。
【００３４】
そして、台形ねじはバー固定ナットが容易に組立られる一方、弛まないようにそのねじ山の上側面（Ｆ１）の傾きはそのねじ山の下側面（Ｆ２）の傾きより大きく形成することが好ましい。具体的にねじ山の上側面（Ｆ１）の傾きは１０゜であり、ねじ山の下側面（Ｆ２）の傾きは１゜であることがより好ましい。即ち、上側面の角度が下側面の角度より大きくなれば、バー固定ナット６０を上側で初期締結する時に簡単に締結することができ、逆方向に力が作用する時にも変形が最小化され、ねじ部７８とバー固定ナット６０との差し込みを大きくしてねじの精密度を向上させて弛みを防止する。
【００３５】
バー固定ナット６０は、レシーバ部材のねじ部７８にねじ結合されるねじ山８０がその外周面に形成された円筒状であり、その中央には六角溝８２が形成されると同時に孔８４が形成された構造である。
【００３６】
このように構成された本発明による骨固定装置の組立は次の通りである。
【００３７】
まず、レシーバ部材５８の上側で骨スクリュ５０をレシーバ部材５８のボア７０内に挿入して多重段差部７４にヘッド５４を安着させ、キャップ５６をレシーバ部材５８のキャップ収容部７６に収容させる。
【００３８】
キャップ５６は組立時に図８に示すように、傾けてそのフランジ６４の一側をキャップ収容部７６に先に収容させ、そのフランジ６４の他側をねじ部７８の端部に係止するようにした後、加圧工具（Ｔ）でキャップ５６を加圧してねじ部７８に係止されたフランジ部分をねじ部７８の下端部と共に塑性変形が起きるようにしながらキャップ収容部７６に挿入する。このように塑性変形をしてキャップ収容部７６に挿入されたキャップ５６は上側に離脱される事がない。
【００３９】
加圧工具Ｔはねじ部７８のねじ結合される雄ねじがその下端部に形成された工具を使用する。この時加圧工具Ｔの雄ねじがねじ部７８を完全に通過するように加圧工具Ｔのねじ外経はねじ部７８の下ねじ山の深さ（Ｈ２）を考慮して決定する。
【００４０】
次に後述する施術工具をレシーバ部材５８にねじ結合しながらキャップ５６の孔６６を通じてヘッド５４の六角溝６２に差し込んで、レシーバ部材５８と骨スクリュ５０とを整列させた後、施術工具を回転させて骨スクリュ５０を骨に固定させ、支持バー（Ｒ）をＵ型のチャンネル７２を横切ってキャップ５６の上側に安着させた後、バー固定ナット６０を締めて骨スクリュ５０を固定する。
【００４１】
バー固定ナット６０の締結力は支持バー（Ｒ）とキャップ５６とを順番に通ってヘッド５４に伝達されるが、レシーバ部材の多重段差部７４の各突出角（Ｐ１）（Ｐ２）がヘッド５４の下部外面に線接触し、キャップ５６の下端の角（Ｐ３）がヘッド５４の上部外面に線接触して、骨スクリュ５０が動かないように堅く固定して支持される。
【００４２】
骨スクリュ５０は図７に示すように、中心軸を中心に約２６゜の旋回角度内で傾いて固定されるが、骨スクリュ５０のヘッド５４の外面には溝帯５４ａが非対称的（螺旋、スパイラル等）で連続的に形成されているので、骨スクリュの固定角度と無関係にキャップ５６の下端の接触線（角:Ｐ３）が溝帯５４ａを横切るためキャップ５６との摩擦力を高める。
【００４３】
図１２は本発明の骨固定装置と従来の骨固定装置の骨スクリュの支持力を試したグラフであり、同一の締結トルク（１４ Ｎ．ｍ）でバー固定ナット６０を締めた後、静荷重を加えた時ヘッド５４が降伏して変位されるグラフである。
【００４４】
試験装備は万能圧縮試験機（ＭＴＳ ７９３）であり、試験方法はＡＳＴＭ Ｆ１７１７によって行われた。
【００４５】
図９は試験状態を示した概路図である。図示するように、骨スクリュ５０を上下物体（Ｍ）に７６ｍｍ間隔でそれぞれ打ちこんだ後、支持バー（Ｒ）を連結してバー固定ナット（図示なし）を締めた後、骨スクリュのヘッドから４０ｍｍ離れた所に荷重（Ｆ）を加えて物体（Ｍ）が変位する状態を図１２のグラフで表わしたものである。
【００４６】
グラフでＡは本発明の実施例の製品に対するグラフであり、Ｂは特許文献２によって製造された製品のグラフであり、Ｃは特許文献１によって製造された製品のグラフである。
【００４７】
グラフに示すように、本発明の実施例の製品の降伏点が約５５０Ｎであるのに比べて、従来製品の降伏点は約４５０Ｎ及び３００Ｎであるため、本発明の骨固定装置の支持力が著しく高いことが分かる。
【００４８】
一方、図１０及び図１１はレシーバ部材５８の内部にヘッド５４が収容された骨スクリュ５０を骨に固定させる時使用される施術工具を表す。
【００４９】
図示するように、本発明の骨固定装置で施術する時に使用される工具は、骨スクリュ５０のレンチ挿入口である六角溝６２に差し込まれる先端突出部８６とレシーバ部材５８のねじ部７８にねじ結合されるねじ部８８とを備えて骨固定装置の骨スクリュ５０とレシーバ部材５８とを整列する整列ロッド９０と、骨スクリュ５０の締付力と弛緩力とを高めてレシーバ部材５８の後退を容易にするように、レシーバ部材５８のＵ型のチャンネル７２に挿入されて係止されるフランジ９２を有し整列ロッド９０の長手方向にスライド可能に整列ロッド９０の外側に結合された外側パイプ９４と、整列ロッド９０を回転させるように整列ロッド９０に結合された柄９４と、からなる。
【００５０】
柄９６は整列ロッド９０に一体に結合されていることも可能であるが、図１０に示すように柄９６が整列ロッド９０の端部に公知の着脱構造によって着脱可能に結合していることが好ましい。柄９６には整列ロッド９０をロック／アンロックするようにスプリングによって弾力的に移動可能に結合された移動スイッチ管９８が結合している。
【００５１】
外側パイプ９４の上端部にはこの外側パイプ９４を容易に移動させるように外側パイプ９４の長手方向に対して垂直に突出した柄部１００が形成されている。フランジ９２の幅（Ｗ）と突出長さ（Ｌ）とはＵ型のチャンネル７２によって決まる。
【００５２】
このように構成された施術工具は、図１１に示すように整列ロッド９０のねじ部８８をレシーバ部材５８のねじ部７８に合わせて柄９６で回転させれば、整列ロッド９０の先端突出部８６が骨スクリュ５０の六角溝６２に挿入され、レシーバ部材５８と骨スクリュ５０とが整列されて真直状態を維持するようになるため、柄９６を続けて回転させて骨スクリュ５０を骨に容易に固定することができる。
【００５３】
この時、外側パイプ９４のフランジ９２をレシーバ部材５８のＵ型のチャンネル７２に挿入して柄９６と共に外側パイプ９４の柄部１００を持って同時に回転させれば、骨スクリュ５０に対する締付力がより大きくなって簡単に固定することができ、レシーバ部材５８がフランジ９２に係止されているため、骨スクリュ５０を弛める時にレシーバ部材５８も同時に容易に抜き取ることができるようになる。
【００５４】
本発明は実施例に限定されることはなく、多様に変形して実施することができる。
【産業上の利用可能性】
【００５５】
本発明による骨固定装置によれば、骨スクリュの支持力が高くて動きを防止するだけでなく組立が容易で、力の伝達力が大きく、弛みを防止し、キャップの離脱を防止する効果があるため、脊椎などの骨を正常な状態に校正した後、動くことなく固定するための骨固定装置等として有用である。
【図面の簡単な説明】
【００５６】
【図１】従来の骨固定装置の一例を示す断面図である。
【図２】従来の骨固定装置の別の例を示す断面図である。
【図３】本発明による骨固定装置を示す断面図である。
【図４】本発明による骨固定装置の分離図である。
【図５】図３のレシーバ部材を示す断面図である。
【図６】図３のキャップを示す断面図である。
【図７】図３の骨スクリュのヘッドの外面の詳細図である。
【図８】本発明による骨固定装置でキャップを組立てる状態図である。
【図９】本発明による骨固定装置の使用状態図である。
【図１０】本発明による骨固定装置の施術に使用される工具を表す分解斜視図である。
【図１１】図１０の工具の使用状態図である。
【図１２】本発明による骨固定装置と従来の骨固定装置の支持力をテストしたグラフである。
【図１３】骨固定装置の試験状態を示した概路図である。
【符号の説明】
【００５７】
５０  骨スクリュ
５２  螺旋部
５４  ヘッド
５６  キャップ
５８  レシーバ部材
６０  バー固定ナット
６４  フランジ
６８  リセス部
７０  ボア
７２  Ｕ型のチャンネル
７４  多重段差部
７６  キャップ収容部
７８  ねじ部
８６  先端突出部
８８  ねじ部
９０  整列ロッド
９２  フランジ
９４  外側パイプ
９６  柄
【図１】
2005245520.tif 000003
【図２】
2005245520.tif 000004
【図３】
2005245520.tif 000005
【図４】
2005245520.tif 000006
【図５】
2005245520.tif 000007
【図６】
2005245520.tif 000008
【図７】
2005245520.tif 000009
【図８】
2005245520.tif 000010
【図９】
2005245520.tif 000011
【図１０】
2005245520.tif 000012
【図１１】
2005245520.tif 000013
【図１２】
2005245520.tif 000014
【図１３】
2005245520.tif 000015